(57)【要約】【課題】簡単且つ迅速に側板(10)を取り外すことができるコンピューター本体の側板を提供する。【解決手段】側板(10)は上端の逆さフック(11)及び底端のフック座(12)がそれぞれコンピューター本体(100)ケース上端の可動板(101)及びケース底端の底縁(102)上にフックされ、固定された状態の側板(10)を取り外す時、ボタン(20)を押すだけで推ロッド(60)が可動板(101)を移動させる。【選択図】図４
0003122891.tif 000002
【実用新案登録請求の範囲】
【請求項１】
コンピューター本体(100)ケースの側面上縁に１つの横向きの可動板(101)が設置され、
該可動板(101)上に数個のフック孔(1011)を具備する凸プレート(1012)を有し、
該側板(10)は上縁に数個の逆さフック(11)を有し、
各逆さフック(11)は可動板(101)のフック孔(1011)内にフックすることができ、
該可動板(101)が未移動時、側板(10)の逆さフック(11)は可動板(101)のフック孔(1011)内にフック固定されている状態であり、
該可動板(101)が移動した時、側板(10)の逆さフック(11)は可動板(101)のフック孔(1011)から離脱し、該側板(10)を取り外すことができ、
コンピューター本体(100)の後板(200)内に内フレーム(30)とフレーム(40)が設置され、
該内フレーム(30)は側面に１つの貫通孔(31)を具備し、
該フレーム(40)は側部にフレーム槽(41)を有し、
該フレーム槽(41)は該ボタン(20)を嵌入設置することができ、
該ボタン(20)は内側一端に１つの嵌合座(21)を有し、
該嵌合座(21)は該板体(50)を嵌入させることができ、
該板体(50)は内側に１つの突起部(51)を有し、
該突起部(51)は該内フレーム(30)の該貫通孔(31)内を貫通することができ、
該内フレーム(30)の側面内側に推ロッド(60)が設置され、
該推ロッド(60)上端のフック部(61)は該可動板(101)のフック孔(103)内にフック固定され、底端のばね引っ掛け部(62)は１つの弾力体(70)がフック固定され、
該弾力体(70)の底端は該内フレーム(30)の洞孔(32)内にフックされ、
該推ロッド(60)中端側面に１つの折プレート(63)を具備し、
該折プレート(63)は該内フレーム(30)中段の凹孔(33)内に設置され、
該側板(10)がコンピューター本体(100)側辺に嵌入している時、可動板(101)は未移動状態であり、該ボタン(20)を押すことにより、該ボタン(20)内側の板体(50)の突起部(51)が該推ロッド(60)の該折プレート(63)を内側に押す為、該推ロッド(60)上端が前方に移動し、該推ロッド(60)のフック部(61)に連結する該可動板(101)も前方に移動し、該可動板(101)のフック孔(1011)から該側板(10)の該逆さフック(11)が離脱し、又、該ボタン(20)を押した時、該推ロッド(60)のばね引っ掛け部(62)は上方に移動する為、該弾力体(70)を引っ張った状態となり、即ち、該弾力体(70)が該ばね引っ掛け部(62)を引っ張った状態となり、該ボタン(20)から指を離す
ことにより、移動した該推ロッド(60)上端及び可動板(101)は元の位置にまで戻ることができ、上記構造により該側板(10)を容易に取り外すことができることを特徴とするコンピューター本体の側板。
【請求項２】
該側板(10)は底端に数個の逆さL形のフック座(12)を有し、
各フック座(12)はコンピューター本体(100)ケース底部の横向きの底縁(102)上にフックすることができることができることを特徴とする請求項１記載の
コンピューター本体の側板。
【考案の詳細な説明】
【技術分野】
【０００１】
本考案は一種の迅速脱着が可能なコンピューター本体の側板を提供する構造により、工具を一切必要とせず、簡単且つ迅速に取り外すことができる側板に関するものである。
【背景技術】
【０００２】
従来のコンピューター本体の側板は工具を必要としていたので、作業に手間取っていた。
【考案の開示】
【考案が解決しようとする課題】
【０００３】
本考案は、簡単且つ迅速に取り外すことができるコンピューター本体の側板を提供することを課題とする。
【課題を解決するための手段】
【０００４】
主に一種の迅速脱着が可能なコンピューター本体(100)の側板(10)を提供するもので、
該側板(10)は上端の逆さフック(11)及び底端のフック座(12)がそれぞれコンピューター本体(100)ケース上端の可動板(101)及びケース底端の底縁(102)上にフックされ、固定された状態の側板(10)を取り外す時、ボタン(20)を押すだけで推ロッド(60)が可動板(101)を移動させ、簡単且つ迅速に側板(10)を取り外すことができる。
【考案を実施するための最良の形態】
【０００５】
本考案の構造の特徴及びその効果を以下に実施例とそれに合わせた図式及び詳細な説明を列挙し、本考案の長所を詳述する。
本考案は一種の迅速脱着が可能なコンピューター本体の側板を提供するもので、図１が示す如く、コンピューター本体(100)は後側に１つの後板(200)を有し、図２は後板(200)を取り外した後のコンピューター本体(100)後視図であり、その主な特徴は、コンピューター本体(100)の後板(200)内側に１つのボタン(20)を設置し、該ボタン(20)を押すことにより、コンピューター本体(100)の側板(10)を迅速に取り外すことができる（図３）。
【０００６】
図４が示す如く、該コンピューター本体(100)ケースの側面上縁に１つの横向きの可動板(101)が設置され、
該可動板(101)上に数個のフック孔(1011)を具備する凸プレート(1012)を有し、
該側板(10)は上縁に数個の逆さフック(11)を有し、
各逆さフック(11)は可動板(101)のフック孔(1011)内にフックすることができ、
又、側板(10)は底端に数個の逆さL形のフック座(12)を有し、
各フック座(12)はコンピューター本体(100)ケース底部の横向きの底縁(102)上にフックすることができ、
図４−１が示す如く、該可動板(101)が未移動時、側板(10)の逆さフック(11)は可動板(101)のフック孔(1011)内にフック固定されている状態であり、
図４−２が示す如く、該可動板(101)が移動した時、側板(10)の逆さフック(11)は可動板(101)のフック孔(1011)から離脱し、該側板(10)を取り外すことができる。
【０００７】
図５−１、５−２が示す如く、コンピューター本体(100)の後板(200)内に
内フレーム(30)とフレーム(40)が設置され、
該内フレーム(30)は側面に１つの貫通孔(31)を具備し、
該フレーム(40)は側部にフレーム槽(41)を有し、
該フレーム槽(41)は該ボタン(20)を嵌入設置することができ、
該ボタン(20)は内側一端に１つの嵌合座(21)を有し（図６−１）、
該嵌合座(21)は該板体(50)を嵌入させることができ（図６−２）、
該板体(50)は内側に１つの突起部(51)を有し、
該突起部(51)は該内フレーム(30)の該貫通孔(31)内を貫通することができ
（図５−１）、
図６−３、７−１が示す如く、該内フレーム(30)の側面内側に推ロッド(60)が設置され、
該推ロッド(60)上端のフック部(61)は該可動板(101)のフック孔(103)内にフック固定され、底端のばね引っ掛け部(62)は１つの弾力体(70)がフック固定され、
該弾力体(70)の底端は該内フレーム(30)の洞孔(32)内にフックされ（図４）、
該推ロッド(60)中端側面に１つの折プレート(63)を具備し、
該折プレート(63)は該内フレーム(30)中段の凹孔(33)内に設置される（図４）。
【０００８】
図７−１が示す如く、該側板(10)がコンピューター本体(100)側辺に嵌入している時、可動板(101)は未移動状態であり、
図７−２が示す如く、該ボタン(20)右側を押すことにより、該ボタン(20)内側の板体(50)の突起部(51)が該推ロッド(60)の該折プレート(63)を内側に押す為、
該推ロッド(60)上端が前方に移動し、
該推ロッド(60)のフック部(61)に連結する該可動板(101)も前方に移動し、
該可動板(101)のフック孔(1011)から該側板(10)の該逆さフック(11)が離脱し、
該側板(10)を容易に取り外すことができる。
又、該ボタン(20)を押した時、該推ロッド(60)のばね引っ掛け部(62)は上方に
移動する為、該弾力体(70)を引っ張った状態となり、即ち、該弾力体(70)が
該ばね引っ掛け部(62)を引っ張った状態となり、該ボタン(20)から指を離す
ことにより、移動した該推ロッド(60)上端及び可動板(101)は元の位置にまで
戻る。
【０００９】
上記構造により本考案の側板(10)は上端の逆さフック(11)及び底端のフック座(12)がそれぞれコンピューター本体(100)ケース上端の可動板(101)及びケース底端の底縁(102)上にフックされ、固定された状態の側板(10)を取り外す時、
ボタン(20)を押すだけで推ロッド(60)が可動板(101)を移動させ、簡単且つ迅速に側板(10)を取り外すことができる。
【図面の簡単な説明】
【００１０】
【図１】本考案の外観図である。
【図２】本考案の後板(200)を取り外した後のコンピューター本体(100)後視図である。
【図３】本考案の側板(10)を取り外しを示すコンピューター本体(100)後視図である。
【図４】本考案の分解図である。
【図４−１】本考案の部分構造の俯瞰断面図である（側板(10)が装着されている状態）。
【図４−２】本考案の部分構造の俯瞰断面図である（側板(10)を取り外すことができる状態）。
【図５−１】本考案の内フレーム(30)とフレーム(40)の後視外観図である。
【図５−２】本考案の内フレーム(30)とフレーム(40)の前視外観図である。
【図６−１】本考案のボタン(20)の外観図である。
【図６−２】本考案の板体(50)の外観図である。
【図６−３】本考案の推ロッド(60)の外観図である。
【図７−１】本考案の側面の部分平面図である（側板(10)が装着されている状態）。
【図７−２】本考案の側面の部分平面図である（側板(10)を取り外すことができる状態）。
【符号の説明】
【００１１】
10        側板
11        逆さフック
12        フック座
20        ボタン
21        嵌合座
30        内フレーム
31        貫通孔
32        洞孔
33        凹孔
40        フレーム
41        フレーム槽
50        板体
51        突起部
60        推ロッド
61        フック部
62        ばね引っ掛け部
63        折プレート
70        弾力体
100       コンピューター本体
101       可動板
1011      フック孔
1012      凸プレート
102       底縁
103       フック孔  
200       後板
【図１】
0003122891.tif 000003
【図２】
0003122891.tif 000004
【図３】
0003122891.tif 000005
【図４】
0003122891.tif 000006
【図４−１】
0003122891.tif 000007
【図４−２】
0003122891.tif 000008
【図５−１】
0003122891.tif 000009
【図５−２】
0003122891.tif 000010
【図６−１】
0003122891.tif 000011
【図６−２】
0003122891.tif 000012
【図６−３】
0003122891.tif 000013
【図７−１】
0003122891.tif 000014
【図７−２】
0003122891.tif 000015